(57)【要約】【課題】  果実肥大に優れる収量と着色に優れる品質をもつ果実を生産することが可能となる遮熱システム及びそれを用いた遮熱栽培法を提供することにある。【解決手段】果実肥大期が梅雨明けから８月下旬にある真夏期にあって、果樹・果采類に遮熱ネットを被覆して、果樹・果采類の葉の蒸散量と果実の温度を抑えることによって、果実肥大に優れる収量と着色に優れる品質をもつ果実を生産することが可能となる。【選択図】  図３
2005027629.tif 000002
【特許請求の範囲】
【請求項１】
真夏期に用いる、果樹と果采類の収量及び品質を向上させる遮熱システムにあって、
栽培棚の全平面を被覆して太陽熱を低減する一以上の遮熱ネットからなることを特徴とする遮熱システム。
【請求項２】
上記栽培棚の上棚の表面に上記遮熱ネットの一端を固定して、前期遮熱ネットの他端に備える開閉器によって、前記上棚面を被覆することを特徴とする上記請求項１に記載の遮熱システム。
【請求項３】
ハウス栽培棚のカーテン装置に上記遮熱ネットを張って、前記カーテン装置の開閉器によって、前記上棚の裏下面で被覆することを特徴とする上記請求項１に記載の遮熱システム。
【請求項４】
上記遮熱ネットは、アルミ箔帯を織込んだ反射式遮熱ネット、白色系化繊遮熱ネットであることを特徴とする上記請求項１〜３に記載の遮熱システム。
【請求項５】
上記遮熱ネットの遮熱率は、２０〜３５％であることを特徴とする上記請求項１〜４に記載の遮熱システム。
【請求項６】
上記開閉器は、駆動手段と連絡する減速器をもつ巻取り器であることを特徴とする上記請求項１〜５に記載の遮熱システム。
【請求項７】
上記請求項１〜６に記載の遮熱システムにあって、
真夏期に上記遮熱ネットを被覆し太陽熱を低減して、上記果樹と上記果采類の葉の蒸散量と果実の温度を抑えることによって、前記果樹と前記果采類の果実の収量及びその着色の品質を向上させることを特徴とする遮熱栽培法。
【発明の詳細な説明】
【発明の詳細な説明】
【技術分野】
【０００１】  本発明は、梅雨明けから８月下旬までの真夏期にあって、果樹類と果采類に遮熱ネットを被覆して、その葉の蒸散量と果実の温度を抑えることによって、果実の収量及びその着色の品質を向上させる遮熱システム及びそれを用いた遮熱栽培法についての提案である。
【背景技術】
【０００２】
【０００３】  果樹類には、ブドウ、サクランボ、梨、桃、りんご、キュウイーフルーツなどがあり、果采類には、トマト、キュウリ、ナスなどがある。
ブドウには、巨峰、ナイヤガラ、ピオーネ、ロザリオビアンコなどがあり、その栽培法には、露地栽培、雨除け栽培、無加温ハウス栽培、加温ハウス栽培がある。【０００４】  果樹と果采類の生育は、元肥量と実止まる以降に施用する追肥量と天候に左右されることは、周知の通りである。元肥と追肥の施用量、施用時期、また土壌の性質が同じであれば、収量及び品質は、天候が最も重要な要因となり、適当な日射量、雨量、外気温が果実に良い結果をもたらす。【０００５】  潅水装置を備えて潅水を行える露地・雨除け栽培の果樹と果采類であっても晴天が続く年は、その果実肥大は、見劣りする。一方、無加温ハウス栽培、加温ハウス栽培は、潅水量、日射量、ハウス温度を人工的に管理して収量及び品質に気を配っている。【０００６】  巨峰の粒張りについては、１２月〜２月加温のハウス巨峰は、根圏域が狭く、日射量も少なく、気温も低いにもかかわらず、潅水装置を備えた根圏域が広い露地巨峰に比し、粒張りが優れて収量に遜色が無く、着色の良い品質の巨峰が生産できることは周知の通りである。【０００７】  潅水の温度については、１２月〜２月加温のハウス栽培は、水温５〜１０℃の河川水、水温１２〜１５℃の水道水、水温１５℃の井戸水のいずれかの用水で潅水を行っている。一方、４月以降の露地栽培は、外気温に近い温度の雨水とそれを補う、外気温に近い温度の潅水を行っている。その水温は、春先以降のため、１５〜２８℃程度になっている。よって、露地栽培は、ハウス栽培より、潅水の温度条件は良い。【０００８】  肥料溶出量については、土壌中の地温に依存するだけでなく、潅水の水温に大きく依存して、水温が高いほど肥料溶出効果が大きくなり、その溶出肥料を根がよく吸収して、樹勢が強くなり、粒張りが良くなることは、近年検証されてきている。よって、露地栽培は、ハウス栽培に比して、肥料溶出効果が高く、肥効が高い。【０００９】  以上に述べたように、根圏域、日射量、ハウス温度、潅水温度、肥効の条件を比較すると、露地巨峰は、ハウス巨峰に比し、収量及び品質が優れるはずであるが、梅雨明けから８月下旬の真夏期にあって、過剰な日射量と果実の高温によって、過剰な蒸散による粒張り障害と高温による着色障害が起るため、果実の収量及びその着色の品質が見劣りする問題点がある。【００１０】  また、巨峰の雨除け栽培は、春先の冷たい雨水による実とまりの著しい低下を避けるために被覆フィルムを被覆するものであり、実とまり以降は、被覆フィルムを剥いで自然の雨水とその雨水の不足分を潅水で補う。その潅水の水温は、外気温に近い水温である。
この雨除け巨峰も露地巨峰と同様に、梅雨期から８月下旬の真夏期で玉張りに高温障害が起るため、玉張りが悪く、果実の収量及びその着色の品質に問題点がある。【００１１】  また、３月の無加温栽培は、７月中旬〜８月下旬の着色期において、外気温が高く、高温障害による着色の低下が見られ、赤熟れ巨峰となる。更に、近年の地球温暖化が巨峰の赤熟れ化を進めている。この無加温ハウス巨峰も露地巨峰と同様に、梅雨明けから８月下旬の真夏期で、粒張りの高温障害が起るため、粒張りが悪い収量面と赤熟れの品質面で問題がある。【００１２】  巨峰は、１反歩あたり、４０００房、露地巨峰で、１房３５粒、ハウス巨峰で１房３３粒が標準数である。露地巨峰で１粒１０〜１１ｇハウス巨峰で１粒１１〜１２ｇに換算できる。現在、巨峰の市場ニーズは、握り房にあり、１粒の大きいものが求められている。ハウス巨峰には、１粒１４ｇ〜１６ｇの大きい粒があるが、この大きさの粒をもち、真黒の露地巨峰の生産が可能であれば、露地巨峰の市場価値があがる。潅水装置を備えている露地巨峰は、ハウス巨峰に比して、日射量、外気温、水温、ハウス温度が優れているにもかかわらず、同一収量であっても１粒あたりの重さは、１．０〜１．５ｇ程度劣るという未解決の問題点がある。【００１３】  真夏期に粒張り期をもつ巨峰の粒張りについて、問題点を述べたが、この果実肥大の問題点は、ブドウ、サクランボ、梨、桃、りんご、キューユフルーツなどの果樹類と、トマト、キューリ、ナスなどの果采類に共通する問題点でもある。真夏期に果実肥大期をもつ果樹・果采類は、過度な干ばつが続くと果実が著しい水分不足をきたすこと、着色不良になる高温障害を起して、果実の収量及び着色の品質が低下する問題点がある。【００１４】  昔から、防虫ネット、防風ネットが果樹・果采園の側面に使用されてきている。果樹・果采園の天上部に被覆する例として、稀に山村地での猿除け・害鳥除けが見られるが、真夏期に果実肥大期をもつ果樹と果采に遮熱ネットを被覆する例は、未だ無い。
【発明が解決しようとする課題】
【００１４】  本発明者は、長年、露地果樹・果采類の果実肥大について、鋭意研究したところ、適当な天気と雨水があっても、果実肥大が十分に達成できない原因として、果実の温度、葉の蒸散量と根の水分吸収量の関係があることを解明して、真夏期に葉の蒸散量と果実の温度を遮熱ネットで抑えることによって、果実肥大をさせることができる遮熱システム及びその遮熱栽培法にある。
実例として、露地巨峰の粒張り期（真夏期：梅雨明けから８月下旬）の太陽高度は、概ね、６０度であり、１２月加温のハウス巨峰の粒肥大期（３月上旬から４月中旬まで）の太陽高度は、概ね、４５度である。
【００１５】  その太陽高度での日射量を比較すると、露地巨峰は、ハウス巨峰に対して、新梢が伸長する初期で、ｓｉｎ４５／ｓｉｎ３０＝√２＝１．４１倍、粒張り期で、ｓｉｎ６０／ｓｉｎ４５＝√３／√２＝１．２２倍となり、その日射量の差による葉の温度上昇は、外気温を考慮するとその差は、１７ｄｅｇ程度になる。つまり、潅水装置を備えているにもかかわらず、粒張りが順調に進まないのは、葉の温度上昇によって、葉の蒸散量が過度に大きくなり、根が吸収する水分の吸収量に近づくこと、最悪、その水分の吸収量を上回ることで、粒張りに要する水分量が不足することが原因であること、果実の高温による着色が進まないこと本発明者が鋭い洞察によって解明した。
【００１６】  このように、１２月加温のハウス栽培での天候条件が不利と思われる粒張り期（３月〜４月）は、葉が要する蒸散量と粒張りに要する水分量が根に吸収される水分吸収量とバランスがとれて粒張りが順調に進むため、露地巨峰の粒張りの向上は、粒張り期に葉が受ける日射量及び外気温を考慮して、露地巨峰の生育条件をハウス巨峰の生育条件に近づけると良くなる。
よって、日射量、潅水量、外気温の生育条件の内、特に、日射量の太陽熱を遮熱して果実の温度を適正に保ち、葉の蒸散量を抑える栽培法が、粒張りを良くして着色を促進する遮熱栽培法である。
【００１７】  露地巨峰は、生育の順に、新梢伸長・開花・実とまりの初期と、水周り・トビ玉期の粒肥大期と、着色・酸ぬけの後期とを経て収穫される。新梢伸長・開花・実とまりの初期と着色・酸ぬけの後期には、十分な太陽光を要するために遮熱は不要であり、水周り・トビ玉期の粒張り期に遮熱ネットを用いて粒張りさせる遮熱システム及びその遮熱栽培法が課題である。
当然、この課題は、ブドウ、サクランボ、梨、桃、りんご、キューユフルーツなどの果樹類と、トマト、キューリ、ナスなどの果采類に共通する課題でもある。
【課題を解決するための手段】
【００１８】  本発明は、上記目的実現に向け鋭意研究した結果、下記内容を要旨構成とする遮熱システム及びその遮熱栽培法を完成するに至った。
すなわち、上記の課題を解決できる、本発明の遮熱システム及びその遮熱栽培法は、果実肥大期である真夏期では、葉の蒸散量と果実の温度を抑えるため、遮熱ネットで遮熱して、その真夏期以外の時期である、新梢伸長・開花・実とまり期と、着色・酸ぬけ期から甘味がのる熟成期では、遮熱ネットを開放して、十分な太陽光を巨峰の葉に与え、同化作用を高めることによって、粒張りのある収量と着色に優れる品質の巨峰が生産できる。
【００１９】  すなわち、本発明の第一の要旨は、
（１）果樹類と果采類の果実を肥大させる遮熱システムにあって、
栽培棚の全平面を被覆して太陽熱を低減する一以上の遮熱ネットからなる遮熱システムであることを特徴とする。
上記遮熱ネットは、太陽熱を反射するアルミ箔帯を織込んだ反射式遮熱ネット、白色系化繊遮熱ネットが好ましい。紫外線カットの化繊遮熱ネットが望ましい。上記遮熱ネットの遮熱率は、２０〜３５％が好ましい。
【００２０】  また、本発明の要旨は、
（２）上記（１）に記載の遮熱システムにあって、
上記栽培棚の上棚の表面に上記遮熱ネットの一端を固定して、前期遮熱ネットの他端に備える開閉器によって、前記上棚面を被覆する遮熱システムであることを特徴とする。前記開閉器は、駆動手段と連絡する減速器をもつ巻取り器であることが好ましい。
【００２１】  また、本発明の要旨は、
（３）上記（１）に記載の遮熱システムにあって、
ハウス栽培棚のカーテン装置に上記遮熱ネットを張って、前記カーテン装置の開閉器によって、前記上棚の裏下面で被覆する遮熱システムであることを特徴とする。前記開閉器は、駆動手段と連絡する減速器をもつ巻取り器であることが好ましい。
【００２２】  （４）上記（１）〜（３）に記載の遮熱システムにあって、
真夏期に上記遮熱ネットを被覆し太陽熱を低減して、上記果樹類と上記果采類の葉の蒸散量と果実の温度を抑えることによって、上記果樹類と上記果采類の果実を肥大させる遮熱栽培法であることを特徴とする。
【発明の実施形態】
【００２３】  本発明の実施形態を次に示す。
露地ブドウ、雨よけブドウ、無加温ブドウの栽培棚は、縦梁パイプと横梁パイプの間隔は、５０ｃｍ程度をとる構造である。その下梁パイプ（縦梁パイプ）には、針金線を縦・横線状に交互に交差して張っている。この針金線と下梁パイプの上面に巨峰の枝を乗配し針金線に新梢を固定している。
本発明の遮熱システムの実施形態は、図１に示す通り、キャップをした独立ポールを栽培棚から天空に突き出すように地面に埋め込んだ複数の独立ポールを設けて、そのキャップに遮熱ネットを被せて、栽培棚を被覆する実施形態である。
または、図２、３に示す通り、栽培棚の上梁パイプ（横梁パイプ）の上面で、駆動手段と連絡する減速器をもつ巻取り器によって、遮熱ネットを栽培棚に被覆可能にする実施形態である。
【００２４】  図１、２は、栽培棚と遮光ネットの被覆機構と太陽高度の関係を示している。図１は、独立ポールＰ０を用いた遮熱システムを示すものであり、Ｐ１は、支柱である。縦梁パイプＰ２とその横梁パイプＰ３、縦梁パイプＰ２に張った針金線に巨峰の枝を乗配して固定する。遮熱システムは、栽培棚の上棚の横梁パイプＰ５、縦梁パイプＰ４に遮熱ネットの一端を固定ピン１７で固定して、キャップＰ６をもつ独立ポールＰ０を用いて遮光ネット１６の数箇所を栽培棚から天空へ持上げて、巨峰を遮熱ネットで被覆している。
【００２５】  図２は、栽培棚の上棚に平行に配置する複数の横梁パイプＰ５の上面を巻取器１４が正逆に回転することによって、遮光ネット１６を栽培棚へ被覆する被覆機構を示す。キャップＰ６は支柱Ｐ１のキャップであり、巻取り器１４がスムーズに動くようにするものである。Ｗは、雨水を補う潅水装置を示している。
【００２６】  通常、巨峰の栽培棚は、平面をもつ栽培棚であり、鋼製パイプ（４８ｍｍφ）と連結金具で組み立てられて、果樹の枝を平面に仕立てる栽培に使用するものである。もちろん、地面に傾斜があると、栽培棚の平面も傾斜をもつことになる。また、栽培棚の上棚は、棟をもつ両方からの二つの曲面でもよく、この二つの曲面をもつ栽培棚は、一曲面に１セットの遮熱システムを付設することによって、二セットの遮熱システムで対応できる。また、複数の棟をもつ栽培棚には、その棟数の２倍数の遮熱ネットをもつ遮熱システムで対応できる。
【００２７】  また、図１、図２に示す通り、Ｓ１は、冬季の太陽位置を示すもので、３０〜４５の太陽高度をもち、Ｓ２は、夏季の太陽位置を示すもので、４５〜６０の太陽高度をもつことを表している。
巨峰の粒肥大期にある真夏期にあって、ハウス栽培の太陽位置Ｓ１での太陽高度４５の日射量は、露地栽培の太陽位置でのＳ２の太陽高度６０の日射量の０．８２倍であり、その粒肥大期のハウス栽培の外気温は、昼１８℃であり、露地栽培の外気温は、昼３５℃である。その外気温の差は、１７ｄｅｇになる。
【００２８】  よって、粒肥大期の真夏期にあって、露地ブドウの日射量は、ハウス巨峰の日射量に対して、１．０−１／１．２２＝０．１８倍ほど大きくなる。そこに、外気温の差１７ｄｅｇを考慮すると、遮熱ネットの遮熱率は、２０〜３５％になる。
上記遮熱ネット１６は、アルミ箔帯５ｍｍを空帯２５ｍｍ〜１５ｍｍと順次に縦方向に配置して化繊ネットと共に織込んだ反射式遮熱ネットである。または、アルミ箔帯５ｍｍを空帯１５ｍｍ×１５ｍｍに順次に縦・横方向に配置して、化繊ネットと共に織込んだ反射式遮熱ネットである。アルミ箔帯を織込んで、遮熱率が２０〜３５％であれば、いかなる織込方式をもつ遮熱ネットでも良い。
【００２９】  また、遮熱ネットは、開口率２０〜３５％をもつ化学繊維を織った化繊遮熱ネットでも良い。遮熱ネットは、太陽熱を反射しやすい白色系化繊遮熱ネットが好ましく、白色染色剤、反射染色剤、紫外線カット剤を混入した化繊遮熱ネットが望ましい。また、遮熱ネットは、化繊ネットに白色染色剤、反射染色剤、紫外線カット剤の遮熱剤を塗布したものでも良い。
【００３０】  遮熱ネット１６の一端を固定ピン１７で上棚の縦梁Ｐ４に固定して、遮熱ネット１６の他端に巻取器１４をもつ上記遮熱ネットは、果実肥大期にある、真夏期の初期では、巻取器を逆回転して、果樹・果采類の全体に被覆して、これ以外の期間の真夏期の後期では、巻取器を正回転して開放する。巻取器の駆動方法は、電動モーター、手動のどの方式でも良い。
【実施例】
【００３１】  以下、巨峰の遮熱システムの具体的実施例を図１で示す通り、露地巨峰の栽培棚（横２０ｍ×縦５０ｍ）を分割した棚（横４ｍ×５０ｍ）に遮熱ネット（横４ｍ×５０ｍ）の１／１２．５の部分を被覆したところを示している。遮熱ネット１６（横４ｍ×４ｍ）は、縦・横梁パイプ（Ｐ４、Ｐ５）に固定ピン１７で固定して、その遮熱ネットの中心部にキャップＰ６を付けたポールＰ０で栽培棚から６ｍ上で遮熱ネットを吊下げている。真夏期に入る梅雨明けの時期に遮熱ネット１６を栽培棚に被覆して、真夏期の終わる８月下旬の時期に遮光ネット１６を栽培棚から取外して、太陽光を十分に巨峰に与えことで、粒張りが良く、着色の良い巨峰が生産できる。【００３２】  次に、巨峰の遮熱システムの具体的実施例を図３で示す通り、露地巨峰の栽培棚（横２０ｍ×縦５０ｍ）に遮熱ネット（横２０ｍ×５０ｍ）を被覆しているところを示している。遮熱システムは、遮熱ネット１６をガイドするガイドパイプ（横梁パイプＰ６）をもつ栽培棚の上棚を被覆する遮熱ネット１６を巻き取る巻取り器１４と、その巻取り器１４の減速器１３に伝動パイプ１２を介して動力を伝達するハンドローター１１から構成している。【００３３】  （１）真夏期以外にあって、遮熱ネット１６は、巻取りパイプ１４に巻き取られた状態で、遮熱ネット１６を固定している固定ピン１７側に巻取りパイプ１４が固定ピン１５で固定されている。【００３４】  （２）果実肥大期である真夏期にあって、ハンドローター１１を右回転して、伝動パイプ１２で伝達された動力によって、減速器１３で巻取りパイプ１４が右回転して、上棚の複数のガイドパイプ（横梁パイプＰ５）の棚上面を、巻取りパイプ１４は、固定ピン１７の他端へ転がることによって、遮光ネット１６は、巻取りパイプ１４から解放されて、巨峰の樹木全体を被覆する。【００３５】  前記遮熱ネットは、アルミ箔帯５ｍｍを空帯１０ｍｍに順次に横方向に配置して、化纎ネットと共に織込んだ反射式遮熱ネットを用いて、その遮熱率は、３３％であり、雨水は、空帯１０ｍｍから、落下して土壌に吸収される。
真夏期に入る梅雨明けの時期に遮熱ネット１６を栽培棚に被覆して、真夏期の終わる８月下旬の時期に遮熱ネット１６を栽培棚から取外して、太陽光を十分に巨峰に与えことで、粒張りが良く、着色が良い巨峰が生産できる。【００３６】  次に、巨峰の遮熱システムの具体的実施例を図４で示す通り、ハウス巨峰の栽培棚（横６ｍ×縦５０ｍ）のアーチ屋根に遮熱ネット（横２０ｍ×５０ｍ）を被覆しているところを示している。遮熱システムは、遮熱ネット１６をガイドするガイドパイプ（アーチパイプＰ６）をもつアーチ屋根を被覆する遮熱ネット１６を巻き取る巻取り器１４と、その巻取り器１４の減速器１３に伝動パイプ１２を介して動力を伝達するハンドローター１１から構成している。【００３７】  （１）真夏期以外にあって、両側の遮熱ネット１６は、巻取り器１４に巻き取られた状態で、固定ピン１５によって、それぞれの巻取り器１４は、縦梁パイプＰ４のところで、両側に固定されている。【００３８】  （２）果実肥大期の真夏期にあって、左側の遮熱ネット１６は、ハンドローター１１を右回転して、伝動パイプ１２で伝達された動力によって、減速器１３で巻取りパイプ１４が左側のアーチ屋根の上面を右回転して、複数のガイドパイプ（アーチパイプＰ５）のアーチ面を巻取りパイプ１４がハウスの棟方向に転がることによって、遮熱ネット１６は、巻取りパイプ１４から解放されて、左側のアーチ屋根の半面を被覆する。【００３９】  右側の遮熱ネット１６は、ハンドローター１１を右回転して、伝動パイプ１２で伝達された動力によって、減速器１３で巻取りパイプ１４が右側のアーチ屋根の上面を左回転して、複数のガイドパイプ（アーチパイプＰ５）のアーチ面を巻取りパイプ１４がハウスの棟方向に転がることによって、遮熱ネット１６は、巻取りパイプ１４から解放されて、右側のアーチ屋根の半面を被覆する。【００４０】  前記遮熱ネットは、アルミ箔帯５ｍｍを空帯１５ｍｍに順次に相互に縦・横方向に配置して、化繊ネットと共に織込んだ反射式遮熱ネットを用いて、その遮熱率は、３０％であり、雨水は、空帯１０ｍｍから、落下して土壌に吸収される。
真夏期に入る時期、遮光ネット１６を栽培棚に被覆して、真夏期の終わる８月下旬の時期に遮熱ネット１６を栽培棚から取外して、太陽光を十分に巨峰に与えことで、粒張りが良く、甘味がある巨峰が生産できる。【００４１】  ハウス巨峰は、ハウス内の上部に張るカーテンの開閉装置にあって、カーテンに替わって、遮熱ネットを開閉装置に張ることで、なんら複雑な変更なくして、遮熱システムを構成できる。この遮熱システムは、無加温巨峰に適していて、真夏期の着色期に遮熱ネットによって、太陽熱を低減することで、高温障害と過剰な葉の蒸散と粒の温度が抑えられて、粒張りと着色に優れる巨峰ができる。【００４２】  上記遮熱システムを利用した巨峰の遮熱栽培法を次に説明する。
遮熱栽培法は、新梢伸長、開花、実とまりを経て梅雨明け以前まで、遮熱ネットを収納してあって、太陽光を巨峰に十分に充てたのち、真夏期からの水周り、トビ玉、着色初期を経て８月下旬まで遮熱ネットで巨峰を被覆したのち、真夏期を過ぎる、８月下旬から遮熱ネットを収納して太陽光を巨峰に十分に充てる、遮熱ネットを順に収納、被覆、収納する遮熱システムによる粒張り及び着色を促進する栽培法である。【００４３】  上記遮熱栽培法によれば、巨峰の成長初期において、十分に太陽光を浴びて実とまりを向上して、粒張り期において、葉の蒸散と粒の温度を抑制して粒張りと着色をさせて、着色後期において、十分に太陽光を浴びて、着色を向上した粒張りと着色の良い巨峰ができる。【００４４】  以上巨峰で細かく述べてきた通り、遮熱システム及び遮熱栽培法は、当然、サクランボ、梨、桃、りんご、キューユフルーツなどの果樹類と、トマト、キューリ、ナスなどの果采類に共通して適応できる。
この遮熱システム及び遮熱栽培法によって、真夏期に果実肥大期をもつ果樹・果采類は、過度な干ばつが続いても果実の著しい水分不足が起るのが防止できて、果実の収量（１０％収率改善）及び着色の品質（ほぼ満点）を向上することができる。
【発明の効果】
【００４５】以上説明したように、本発明は、果実肥大期が梅雨明けから８月下旬の真夏期にあって、果樹・果采類に遮熱ネットを被覆して、果樹・果采類の葉の蒸散量と果実の温度を抑えることによって、その果実肥大に優れる収量（１０％収率改善）と着色に優れる品質（ほぼ満点）をもつ果実を生産することが可能となる遮熱システム及びそれを用いた遮熱栽培法を提供することができる。
【図面の簡単な説明】
【図１】  遮熱システムの第一実施形態を示す斜傾図
【図２】  遮熱ネットと太陽高度を示す図
【図３】  遮熱システムの第二実施形態を示す斜傾図
【図４】  遮熱システムの第三実施形態を示す斜傾図
【符号の説明】
Ｐ１      棚の支柱パイプ
Ｐ２      棚の縦梁パイプ
Ｐ３      棚の横梁パイプ
Ｐ４      上棚の縦梁パイプ
Ｐ５      上棚の横梁パイプ
Ｐ６      支柱パイプのキャップ
１１      ハンドローター
１２      伝動フレキパイプ
１３      減速器
１４      巻取りパイプ
１５      ガイドパーツ
１６      遮光ネット
１７      固定ピン
【図１】
2005027629.tif 000003
【図２】
2005027629.tif 000004
【図３】
2005027629.tif 000005
【図４】
2005027629.tif 000006